(57)【特許請求の範囲】
【請求項１】
軽量ブロック体を相互に連結する連結金具であって、
連結金具を板状体で構成し、
前記板状体の一部を直角に折り曲げて先鋭な爪部を形成してなり、
前記爪部に少なくとも開口部を設け、
前記開口部を板状体と爪部に跨って形成したことを特徴とする、
連結金具。
【請求項２】
請求項１に記載する連結金具において、前記板状体を折り曲げる方向を交互に逆方向としたことを特徴とする、連結金具。
【請求項３】
軽量ブロック体を相互に連結する連結金具であって、
連結金具を板状体で構成し、
前記板状体の一部を直角に折り曲げて先鋭な第１の爪部を形成し、
前記第１の爪部の一部を逆方向へ折り曲げて先鋭な第２の爪部を形成し、
前記第２の爪部に少なくとも開口部を設けたことを特徴とする、
連結金具。
【発明の詳細な説明】
【０００１】
【発明の属する技術分野】
本発明は、軽量ブロック体を相互に連結する連結金具に関するものである。
【０００２】
【従来の技術】
発泡スチロール等の衝撃吸収材からなる軽量ブロック体は、その軽量性や衝撃緩和性、耐圧縮性、耐水性等の特性を活かして、盛土やロックシェッド（落石防護覆）等様々な分野に使用されている。
例えば軟弱地盤上に盛土を施工する場合は、荷重を軽減させて地盤の沈下を防ぐために土の替わりに軽量ブロック体を積み重ねて盛土を形成する軽量盛土工法がよく知られている。
これらの用途に使用する場合、積み重ねた軽量ブロック体を相互に連結する必要があり、従来は、次のような方法で軽量ブロック体を相互に連結していた。
＜イ＞軽量ブロック体の両面に夫々一体に複数の凸部及びこの凸部と嵌合可能な凹部を形成し、これら凸部を凹部に嵌合させて軽量ブロック体を順次連結して積み重ねていた。
＜ロ＞図８に示すように表裏面に複数の爪ａを突設した連結金具ｂを軽量ブロック体に突き刺して軽量ブロック体を上下、前後、左右に連結していた。
【０００３】
【発明が解決しようとする課題】
しかしながら、従来の連結する手段には次のような問題点がある。
＜イ＞前者の連結手段は、軽量ブロック体に凹凸を形成して凸部を凹部に嵌合させるため、組み立てる際の向きなどが限定され、軽量ブロック体を自由に配置することができない。そのため軽量ブロック体を特定の位置から特定の向きに組み立てる必要がある。
＜ロ＞後者の爪を突設した連結金具ｂは、爪ａを軽量ブロック体に突き刺すだけのため、衝撃力等が加わると連結が緩んだり、外れたりすることがある。
【０００４】
【発明の目的】
本発明は上記したような従来の問題点に鑑みて考えられたもので、軽量ブロック体を自由に配置することができる連結金具を提供することを目的とする。
また本発明は、抜け出し防止機能の向上を図り、確実に連結状態を維持することのできる連結金具を提供することを目的とする。
本発明は、上記目的のうち少なくとも一つを達成するようにしたものである。
【０００５】
【課題を解決するための手段】
上記のような目的を達成するために、本発明の連結金具は、軽量ブロック体を相互に連結する連結金具であって、連結金具を板状体で構成し、前記板状体の一部を直角に折り曲げて先鋭な爪部を形成してなり、前記爪部に少なくとも開口部を設け、前記開口部を板状体と爪部に跨って形成したことを特徴としている。
また本発明の連結金具は、前記板状体を折り曲げる方向を交互に逆方向としたことを特徴としている。
また本発明の連結金具は、軽量ブロック体を相互に連結する連結金具であって、連結金具を板状体で構成し、前記板状体の一部を直角に折り曲げて先鋭な第１の爪部を形成し、前記第１の爪部の一部を逆方向へ折り曲げて先鋭な第２の爪部を形成し、前記第２の爪部に少なくとも開口部を設けたことを特徴としている。
また前記板状体を折り曲げる方向を同一方向とし、爪部の向きを同一方向とすれば軽量ブロック体の表面から爪部が突出することがないので、ロックシェード等の外面を形成することができる。
【０００６】
【発明の実施の形態１】
以下図面を参照しながら、本発明に係る実施の形態について説明する。
【０００７】
＜イ＞軽量ブロック体
軽量ブロック体２は、軽量性や衝撃緩和性、耐圧縮性、耐水性等の特性を有する発泡スチロールまたはゴム等の公知の素材からなっている。
軽量ブロック体２のブロック形状は、例えばパネル状、直方体等の任意の形状とすることができる。また大きさは、持ち運びや配置に便利なように例えば長さが２０００ｍｍ、幅が１０００ｍｍ、厚さが５００ｍｍ程度とするのが好ましい。
用途に応じて、軽量ブロック体２の外周に例えば数本のポリプロピレン製バンド２３等を所定間隔で巻き付けて、軽量ブロック体２を補強した状態で使用してもよい。
本発明の連結金具１は、軽量ブロック体２を上下、前後、左右に連結するもので、図１に連結金具１を軽量ブロック体２の一部に突き刺した状態を示す。
【０００８】
＜ロ＞連結金具
連結金具１は、平面形状の板状体１０の一部を折り曲げて先鋭な爪部１２を形成し、少なくとも爪部１２に開口部１３を設けてなる。
実施例に示す連結金具１は、矩形の板状体１０からなり、板状体１０の四隅１１を直角に折り曲げて爪部１２を形成する（図２参照）。
板状体１０は、プレス等による切断、孔開け、曲げ等の機械加工を容易に行うことができるように鋼板等の金属体で構成するが、プラスチック等で構成することもできる。
四隅１１を折り曲げて爪部１２を形成するので、先鋭な爪部１２とすることができる。
先鋭な爪部１２がそのままクサビ状に形成されており、爪部１２は容易に軽量ブロック体２に食い込んでいくことができる。
爪部１２の折曲線１４と交差するように開口部１３を設ける。
実施例の開口部１３は円形の孔となっており、また折曲線１４は孔の直径に略一致しているが、開口部１３は円形の孔に限定することなく、また折曲線１４は開口部１３を横切っていればよい。
このように開口部１３を設けることによって、開口部１３は板状体１０と爪部１２に跨って形成される。
開口部１３は軽量ブロック体２の連結時における逃げ孔であり、後述するように連結金具１を軽量ブロック体２に取り付けたとき、軽量ブロック体２の一部が開口部１３に逃げ込んで引っ掛かり、連結状態を一層強固にするものである。
【０００９】
爪部１２の向きは交互に逆方向とし、一つの爪部１２が上方を向くときは、隣り合う爪部１２は下方を向くようになっている（図２参照）。
爪部１２の向きを交互に逆方向とすることによって、一つの連結金具１で上下に積み重ねた軽量ブロック体２同士を連結したり、前後左右に配置した軽量ブロック体２同士を連結することができる。
外面を構成する軽量ブロック体２同士を連結する場合は、爪部１２の向きは同一方向とし、軽量ブロック体２の表面から爪部１２が突出することがないようにする。
【００１０】
次に連結金具１を用いて軽量ブロック体２を連結する場合について説明する。
【００１１】
＜イ＞連結（図３）
図３は軽量ブロック体２を夫々上下に積み重ね、更に前後及び左右に連続して配置した場合の一部を示している。
下方の軽量ブロック体２ａの上部に連結金具１の爪部１２を突き刺して取り付ける。
爪部１２を先鋭に形成しているため、容易に軽量ブロック体２ａに食い込んでいき、連結金具１を軽量ブロック体２ａの上部に突き刺して取り付けることができる。
軽量ブロック体２の外周にバンド２３を巻き付けてある場合は、バンド２３が交差する箇所で取り付ける（図１参照）。
爪部１２同士の間隔があいているので、爪部１２がバンド２３を跨ぐことによって簡単に取り付けることができる。
軽量ブロック体２ａは、発泡スチロールなどの弾性体のため、爪部１２が突き刺さった後は、軽量ブロック体２ａは開口部１３に逃げ込んで開口部１３との間で引っ掛かりが生じ、爪部１２は簡単に抜けることがない。
即ち、開口部１３を設けたことで、連結金具１の抜け出し防止機能の向上をはかっている。
爪部１２の向きは交互に逆方向となっており、上方の軽量ブロック体２ｂを下方の軽量ブロック体２ａに載せて押し付けることによって、上方を向いた爪部１２が軽量ブロック体２ｂに食い込んでいき、軽量ブロック体２ａと軽量ブロック体２ｂを上下に連結することができる。
この手順を繰り返すことによって上下方向へ軽量ブロック体２を積み重ねていくことができる。
【００１２】
左右方向または前後方向へ軽量ブロック体２を連結していくには、軽量ブロック体２の側面に連結金具１を取り付ける。
即ち、爪部１２を例えば左方の軽量ブロック体２の右側面に突き刺して取り付け、右方から軽量ブロック体２を押し付けることによって、爪部１２が軽量ブロック体２に食い込んでいき、左右の軽量ブロック体２を相互に連結することができる。
前記同様、先鋭な爪部１２は容易に左右の軽量ブロック体２に食い込んでいくことができ、開口部１３に軽量ブロック体２が逃げ込んで開口部１３との間で引っ掛かりが生じ、連結金具１は簡単に抜けることがない。
この手順を繰り返すことによって左右方向へ軽量ブロック体２を順次連結していくことができる。
全く同様の手順で前後方向へ軽量ブロック体２を順次連結していくことができる。
【００１３】
＜ロ＞作用（図３）
爪部１２の向きを交互に逆方向に形成しているので、夫々の爪部１２が隣り合う軽量ブロック体２に溝を刻みながら食い込んで、かすがいとして働き、隣接する軽量ブロック体２同士を連結している。
また軽量ブロック体２は発泡スチロールなどの弾性体で構成されており、連結金具１を軽量ブロック体２に取り付けた状態では、軽量ブロック体２の一部が開口部１３に逃げ込んで膨張する。
軽量ブロック体２の一部が開口部１３に逃げ込むことで、開口部１３の形成面１３ａに膨張部２２が干渉し、軽量ブロック体２と連結金具１が互いに引っ掛かり合うことになる（図３（ａ）拡大部参照）。
このため、爪部１２を引き抜くことができず、衝撃力等が加わったとしても軽量ブロック体２の連結が緩んだり、外れたりすることがなく、軽量ブロック体２同士が連結金具１によって確実に連結することができる。
従来は爪ａを軽量ブロック体２に突き刺すだけのため、抜け出し防止機能が小さく、上向きの力が作用すると爪ａが外れ易い（図３（ｂ）参照）。
このようにして多数の軽量ブロック体２を連結して、例えばロックシェード等を構成した場合、上に積み重ねた軽量ブロック体２により落石等の衝撃を十分に緩和して衝撃緩和性に優れたものとすることができ、更に連結金具１が隣り合う軽量ブロック体２を強固に連結しているため、ロックシェードの破損や倒壊を防止することができる。
【００１４】
【発明の実施の形態２】
連結金具１００は、略正方形の板状体１０１で構成し、各辺の中点を結ぶ折曲線１０４で折り曲げて形成してもよい（図４参照）。
図４（ａ）は折り曲げる前の連結金具１００を示し、図４（ｂ）は折り曲げ後の連結金具１００を示している。
実施の形態１と同様に折曲線１０４と交差するように開口部１０３を設ける。
先鋭な爪部１０２が軽量ブロック体２に食い込んでいき、連結金具１００を軽量ブロック体２に突き刺して取り付けることができる。
また開口部１０３を設けているので、開口部１０３に軽量ブロック体２の一部が逃げ込んで軽量ブロック体２と連結金具１００が互いに引っ掛かり合い、連結状態を強固にする。
【００１５】
【発明の実施の形態３】
連結金具１１０は、略正三角形の板状体１１１で構成し、各辺の中点を結ぶ折曲線１１４で折り曲げて形成してもよい（図５参照）。
図５（ａ）は折り曲げる前の連結金具１１０を示し、図５（ｂ）は折り曲げ後の連結金具１１０を示している。
実施の形態１と同様に折曲線１１４と交差するように開口部１１３を設ける。
先鋭な爪部１１２が軽量ブロック体２に食い込んでいき、開口部１１３に軽量ブロック体２の一部が逃げ込んで軽量ブロック体２と連結金具１１０が互いに引っ掛かり合い、連結状態を強固にする。
【００１６】
【発明の実施の形態４】
板状体１０の一部を直角に折り曲げて先鋭な第１の爪部２０を形成し、この第１の爪部２０の一部をさらに逆方向へ折り曲げて先鋭な第２の爪部２１を形成して、交互に逆方向に向けることができる（図６（ａ）参照）。
第１の爪部２０は大形に形成され、第２の爪部２１は小形に形成される。
第２の爪部２１を形成するにあたって、折曲線１４の箇所に切込みを入れて折り曲げるので、折曲部分がそのまま開口部１３を形成する。
第１の爪部２０と第２の爪部２１は先鋭に形成されるので、容易に軽量ブロック体２に食い込んでいき、開口部１３に軽量ブロック体２の一部が逃げ込んで軽量ブロック体２と連結金具１が互いに引っ掛かり合い、連結状態を強固にする。
【００１７】
第２の爪部２１に開口部１３ａを設けてもよい（図６（ｂ）参照）。
第２の爪部２１が軽量ブロック体２に食い込んだとき、開口部１３ａに軽量ブロック体２の一部が逃げ込んで軽量ブロック体２と連結金具１が互いに引っ掛かり合い、連結状態を強固にする。
【００１８】
第２の爪部２１の開口部１３ａを板状体１０に跨るように設けてもよい（図６（ｃ）参照）。
【００１９】
【発明の実施の形態５】
図７に示すように、開口部１３を爪部１２に設けてもよい。
先鋭な爪部１２が軽量ブロック体２に食い込んでいき、開口部１３に軽量ブロック体２の一部が逃げ込んで軽量ブロック体２と連結金具１が互いに引っ掛かり合い、連結状態を強固にする。
【００２０】
【発明の効果】
本発明の連結金具は、以上説明したようになるから次のような効果を得ることができる。
＜イ＞板状体で構成し、板状体の一部を直角に折り曲げて先鋭な爪部を交互に逆方向に形成してなるから、爪部を軽量ブロック体に突き刺すだけで簡単に連結することができる。このため軽量ブロック体を任意の位置から組立てて自由に配置することができる。
＜ロ＞少なくとも爪部には開口部を設けてなるから、軽量ブロック体の一部が開口部に逃げ込んで軽量ブロック体と連結金具が互いに引っ掛かりあって、連結金具の抜け出し防止効果が向上し、軽量ブロック体の連結状態を一層強固にすることができる。このため軽量ブロック体に頻繁に衝撃力が加わっても連結が緩んだり、外れたりすることがない。
＜ハ＞爪部の向きが同一方向となるように板状体を折り曲げた場合は、軽量ブロック体の表面から爪部が突出することがないので、ロックシェード等の外面を形成することができる。
【図面の簡単な説明】
【図１】連結金具を軽量ブロック体に突き刺した状態を示す斜視図。
【図２】連結金具の斜視図。
【図３】軽量ブロック体を連結金具で連結した状態を示す説明図。
【図４】他の実施例を示す説明図。
【図５】他の実施例を示す説明図。
【図６】爪部の他の実施例を示す斜視図。
【図７】爪部に開口部を設けた実施例を示す斜視図。
【図８】従来の連結金具を示す斜視図。
【符号の説明】
１・・・連結金具
２・・・軽量ブロック体
１０・・板状体
１１・・四隅
１２・・爪部
１３・・開口部
２０・・第１の爪部
２１・・第２の爪部
【図１】
0004532770.tif 000002
【図２】
0004532770.tif 000003
【図３】
0004532770.tif 000004
【図４】
0004532770.tif 000005
【図５】
0004532770.tif 000006
【図６】
0004532770.tif 000007
【図７】
0004532770.tif 000008
【図８】
0004532770.tif 000009